(57)【要約】      （修正有）【課題】無線通信素子付タグの製作時間を短くして、生産効率を上げることができる印刷装置を提供する。【解決手段】印刷装置１は、無線通信素子を内蔵するタグ１１を積層させて収納するホッパー部２、タグ１１の表面に可視情報を印刷する印刷部３、ホッパー部２からタグ１１を取り出して印刷部３に搬送する搬送手段４、印刷部３により可視情報が印刷されたタグ１１の無線通信素子にデータの書き込みを行うデータ読み書き装置５とを備える。データ読み書き装置５は、印刷部３のタグ排出側であって搬送装置４の搬送路延長位置から退避した空間位置に印刷後のタグ１１を支持するタグ支持部６と、タグ支持部６に配置されたタグ１１にデータの書き込みを行うデータ読み書き部７を備え、印刷部３からデータ書き込み装置５へのタグ１１の受け渡しが落下方式となっている。【選択図】図１
0003194544.tif 000002
【実用新案登録請求の範囲】
【請求項１】
無線通信素子を内蔵するタグを多数積層させて収納するホッパー部と、
タグの表面に可視情報を印刷する印刷手段と、
ホッパー部からタグを取り出して印刷手段に搬送する搬送手段と、
印刷手段により可視情報が印刷されたタグの無線通信素子にＩＤ情報等のデータの書き込みを行うデータ読み書き手段とを備え、
データ読み書き手段は、印刷手段のタグ排出側であって搬送手段の搬送路延長位置から退避した空間位置に印刷後のタグを支持するタグ支持部を備えると共にタグ支持部に配置されたタグにデータの書き込みを行うデータ読み書き部を備えるように構成され、
印刷手段からデータ書き込み手段への印刷後のタグの受け渡しが落下方式となっている印刷装置。
【請求項２】
請求項１に記載の印刷装置において、
印刷後のタグは、前端が下方を向くように印刷手段のタグ排出位置からデータ書き込み手段へ落下させて送られ、
データ読み書き手段は、タグ支持部が印刷手段からのタグ排出位置よりも前方下方に配置されると共に下端が前側となるように傾斜する支持面を備え、データ読み書き部が支持面の裏面側に配置されている印刷装置。
【請求項３】
請求項２に記載の印刷装置において、
タグ支持部の下方にタグを受け入れるストッカーを設け、
タグ支持部は、支持面の下端部近くにストッカーへのタグの落下阻止と落下許容とを選択可能にするシャッターを備えている印刷装置。
【考案の詳細な説明】
【技術分野】
【０００１】
本考案は、無線通信素子が内蔵されたカード状のタグにバーコード等の可視情報を印刷すると共に無線通信素子にＩＤ情報等のデータの書き込みを行う印刷装置に関する。
【背景技術】
【０００２】
従来、この種の印刷装置として、無線通信素子が内蔵されたカード状のタグの表面にバーコード等の可視情報を印刷する印刷手段と、タグの無線通信素子にＩＤ情報等のデータの書き込みを行うデータ読み書き手段とを備えたものが知られている。
【先行技術文献】
【特許文献】
【０００３】
【特許文献１】特開２００６−２７２８４２号公報
【考案の概要】
【考案が解決しようとする課題】
【０００４】
従来の印刷装置では、タグ表面への印刷位置とタグへのデータの書き込み位置とが同一の搬送路上に設けられている。そのため、印刷処理を終了してからデータの書き込み処理を行う必要があるので、１枚ごとのタグの製作時間が長くなり、生産性が低いものであった。
【０００５】
特に、印刷領域が搬送方向に長くて印刷が完了するまでの時間が長くなったり、タグへのデータの書き込みが完了するまでの時間が長くなったりすると、生産性がさらに低下してしまう。
【０００６】
本考案は、上記事情に鑑みてなされたものであり、無線通信素子付タグの製作時間を短くして、生産効率を上げることができる印刷装置を提供することを課題とする。
【課題を解決するための手段】
【０００７】
本考案に係る印刷装置は、
無線通信素子を内蔵するタグを多数積層させて収納するホッパー部と、
タグの表面に可視情報を印刷する印刷手段と、
ホッパー部からタグを取り出して印刷手段に搬送する搬送手段と、
印刷手段により可視情報が印刷されたタグの無線通信素子にＩＤ情報等のデータの書き込みを行うデータ読み書き手段とを備え、
データ読み書き手段は、印刷手段のタグ排出側であって搬送手段の搬送路延長位置から退避した空間位置に印刷後のタグを支持するタグ支持部を備えると共にタグ支持部に配置されたタグにデータの書き込みを行うデータ読み書き部を備えるように構成され、
印刷手段からデータ書き込み手段への印刷後のタグの受け渡しが落下方式となっているものである。
【０００８】
前記印刷装置において、さらに、
印刷後のタグは、前端が下方を向くように印刷手段のタグ排出位置からデータ書き込み手段へ落下させて送られ、
データ読み書き手段は、タグ支持部が印刷手段からのタグ排出位置よりも前方下方に配置されると共に下端が前側となるように傾斜する支持面を備え、データ読み書き部が支持面の裏面側に配置されていることが好ましい。
【０００９】
また、前記印刷装置において、
タグ支持部の下方にタグを受け入れるストッカーを設け、
タグ支持部は、支持面の下端部近くにストッカーへのタグの落下阻止と落下許容とを選択可能にするシャッターを備えていることが好ましい。
【考案の効果】
【００１０】
以上のように、本考案の印刷装置によれば、印刷手段とデータ読み書き手段とが、例えるならば建物の１階と２階のような空間的に重複する配置構造となる。このように印刷手段とデータ読み書き手段とを空間的に重複させることによりそれぞれの作業が互いに制約されることなく行える。従って、データ読み書き手段においてタグ支持部にタグを支持させてタグの無線通信素子へのデータの読み書きを行っている間に、後続のタグに対して印刷手段によりタグ表面への印刷が可能となる。しかも、印刷手段からデータ書き込み手段へのタグの受け渡しが落下方式となっているので、印刷手段からデータ書き込み手段へのタグの受け渡しを短時間で行える。以上より、無線通信素子付タグの製作時間が短くなり、生産性が大幅に向上される。
【図面の簡単な説明】
【００１１】
【図１】本考案の実施形態による印刷装置の全体概略構成図である。
【図２】本考案の実施形態による印刷装置の一部拡大図であって、タグがタグ支持部の支持面に支持されている状態を示す。
【図３】本考案の実施形態による印刷装置の一部拡大図であって、タグがタグ支持部の支持面からストッカーへ落下する状態を示す。
【図４】本考案の実施形態による印刷装置の一部拡大図であって、不良のタグを不良品ストックに収納する状態を示す。
【考案を実施するための形態】
【００１２】
以下に、本考案の実施形態の印刷装置について添付の図１〜図４を参照しながら説明する。
実施形態の印刷装置１は、例えばRFID（Radio Frequency-Identification）タグのような、紙やプラスチックなどからなり内部にＩＣチップ等の無線通信素子が内蔵されたカード状のタグ１１に対して、表面に製造者・製造番号・商品番号・金額・バーコード・トレードマーク等の可視情報を印刷すると共に、無線通信素子に前記可視情報も含む場合があるＩＤ情報等のデータを電気的に書き込む装置である。
【００１３】
なお、無線通信素子として、例えば数ｍｍ角程度の極めて小さく薄い無線通信ＩＣチップで構成され、同チップ内には、メモリが設けられており、各種データの書き込み、読出しが可能となっている。
【００１４】
本実施形態の印刷装置１は、図１に示すように、タグ１１を多数積層させて収納するホッパー部２と、タグ１１の表面に所定の可視情報を印刷する印刷部３と、ホッパー部２からタグ１１を取り出して印刷部３に搬送する搬送装置４と、タグ１１の無線通信素子に所定のデータの書き込み及び/又は読み出しを行うデータ読み書き装置５と、各機器の駆動を制御する制御部８とを備える。
【００１５】
ホッパー部２は、４つの側壁部２１を備え、上下が開放されている。さらに、タグ１１が排出される側となる前方の側壁部２１の下端近くには、上端部がホッパー部２側に湾曲したゲート板２２が設けられている。ゲート板２２の上端湾曲部によってタグ１１が支持される。
【００１６】
さらに、ホッパー部２の後方の側壁部２１の下端近くには、タグ１１を印刷部３に供給するためのタグ取り出し装置２３が設けられている。
タグ取り出し装置２３は、ホッパー部２における後方の側壁部２１の直下で往復動するブロック体２３ａと、該ブロック体２３ａに固定された取出し爪付きの板ばね２３ｂとにより構成されている。
【００１７】
タグ取り出し装置２３は、ブロック体２３ａを後方に移動させておいて、積層されたタグ１１のうち、最下部に配置されるタグ１１を板ばね２３ｂの取出し爪に引っ掛けながらブロック体２３ａを前方に向けて移動させることにより、１枚のタグ１１を搬送装置４に送るようになっている。タグ１１の後方側は、ブロック体２３ａによって支持された状態になっている。
【００１８】
印刷部３は、タグ１１を上下両側から挟むように対向配置された昇降可能な印刷ヘッド３１とモータにより駆動回転するプラテンローラー３２とを備える。印刷ヘッド３１はサーマルヘッドにより構成されている。
【００１９】
さらに、印刷部３は、インクリボンテープ３３が巻き取られている繰出用リール３４と、繰出用リール３４から引き出されたインクリボンテープ３３を巻き取るための巻取用リール３５とを備える。巻取用リール３５はモータで駆動する駆動軸３６に取り付けられ、繰出用リール３４はフリー回転可能な回転軸３７に取り付けられる。
【００２０】
回転軸３７に繰出用リール３４が取り付けられると、インクリボンテープ３３を繰り出して、複数のテンションローラ３８に掛け渡してから駆動軸３６に取り付けられている巻取用リール３５にインクリボンテープ３３の端部を固定する。複数のテンションローラ３８は、インクリボンテープ３３にテンションを与えて弛まないようにするために用いられる。
【００２１】
本実施形態では、プラテンローラー３２と印刷ヘッド３１との間にタグ１１が供給されて印刷される。印刷ヘッド３１を発熱させることにより、インクリボンテープ３３からインクを熱転写して、タグ１１に所定の事項が印刷される。
なお、印刷部３による印刷方式は、熱転写方式に限定するものではなく、感熱発色方式やインクジェット方式であってもよい。
【００２２】
搬送装置４は、図１に示すように、ホッパー部２の下端に位置するタグ１１がタグ取り出し装置２３より取り出されると、このタグ１１を受け取って印刷部３に搬送する。
搬送装置４は、タグ１１を搬送する搬送面が外側の面となる無端の搬送ベルト４１と、この搬送ベルト４１が掛け渡されて搬送ベルト４１を走行自在に支持する複数の支持プーリー４２と、モータにより回転駆動されて搬送ベルト４１を駆動走行させる駆動プーリー４３とを備える。
【００２３】
搬送装置４は、図１に示すように、搬送ベルト４１が掛け渡される支持プーリー４２のうち、上部で水平方向に配置される４つの支持プーリー４２に対向するように、押えローラ４４が配置されている。これら押えローラ４４と、上部の支持プーリー４２とにより、搬送ベルト４１上のタグ１１が下方へ向けて弛むことなく搬送できる。
【００２４】
図１に示すように、搬送装置４のホッパー部２の排出口の近くであって、搬送装置４へのタグ入り口となる１対の支持プーリー４２と押えローラ４４の前方近くには、タグ１１を検出するための第１センサ８１が設けられている。この第１センサ８１によりタグ１１が検出されると、検出結果が制御部８に送られて、制御部８により印刷部３の駆動制御が開始される。
【００２５】
また、印刷部３のタグ排出側となる搬送装置４の搬送方向前方には、搬送装置４から排出されるタグ１１の上方への反り返りを防止するための案内バー４５が設けられている。
【００２６】
データ読み書き装置５は、印刷部３によって可視情報が印刷されたタグ１１の無線通信素子に電気的にデータの書き込みや読み出しを行う。
データ読み書き装置５は、印刷後のタグ１１を支持するタグ支持部６と、タグ支持部６に配置されたタグ１１にデータ読み書きを行うデータ読み書き部７とを備える。
【００２７】
タグ支持部６は、図１〜図４に示すように、印刷部３のタグ排出側であって、搬送装置４の搬送路延長位置から退避した空間位置に配置されている。具体的には、タグ支持部６は、印刷部３からのタグ排出位置よりも前方下方に配置されており、前板部６１と後板部６２と、前板部６１及び後板部６２の両端部に配置される側板部６３とによって構成される。前板部６１と後板部６２とは、側面視がV字状となるように下端部を互いに接近させるように配置させている。
【００２８】
本実施形態では、後板部６２の上面が印刷後のタグ１１が受け止められて支持される支持面６４となる。この支持面６４は、下端が前側となるように傾斜され、後板部６２の上端部が搬送装置４の印刷部３の排出部の直下に位置するように配置される。
【００２９】
このように、支持面６４を配置することにより、印刷部３によって印刷されたタグ１１が、搬送装置４の後端部の支持プーリー４２と押えローラ４４とによって搬送ベルト４１を介して挟持されながら排出されると、図２に示すように、そのまま支持面６４へと落下して、支持面６４全体でタグ１１が受け止められる。つまり、印刷部３からデータ書き込み装置５へのタグ１１の受け渡しが落下方式となっている。
【００３０】
さらに、タグ支持部６は、前板部６１の下端と、後板部６２の下端との間にタグ１１が通過可能なタグ落下用通路６５が形成されている。
このタグ落下用通路６５の直下、即ち後板部６２の下端近くに、後述するストッカー９へのタグ１１の落下阻止と落下許容とを選択可能にする断面形状が半月状のシャッター６６を設けている。また、シャッター６６の上方には、タグ落下用通路６５でのタグ１１の有無を検出する第２センサ８２が設けられている。
【００３１】
シャッター６６は、断面形状が半月状の棒状体で構成され、モータにより正逆回転可能になっている。第２センサ８２によりタグ１１が検出されていないときは、半月の円弧面をタグ落下用通路６５の直下に配置させるように制御部８によりシャッター６６の回転を制御する。タグ支持部６の支持面６４に向かってタグ１１が落下すると、支持面６４に受け止められたタグ１１の下端は、シャッター６６の円弧面に当接してタグ１１が落下するのが阻止される。シャッター６６の円弧面によってタグ１１の下端が受け止められるので、タグ１１は支持面６４に確実に支持された状態になる。
【００３２】
また、第２センサ８２によりタグ１１が検出され、データ読み書き部７により書き込みが終了すると、図３の示すように、制御部８によりシャッター６６を半月の平面部分が支持面６４と平行になるように回転する。このようにシャッター６６が回転すると、今までシャッター６６によって受け止められていたタグ１１がタグ落下用通路６５から落下する。タグ１１の下端は、シャッター６６が回転しても円弧面に当接されているので、タグ落下用通路６５へとスムーズに導かれる。
【００３３】
データ読み書き装置５のデータ読み書き部７は、読み書き制御部及びアンテナを備える本体部７１と、この本体部７１を支持する支持部材７２とにより構成されている。データ読み書き部７は、印刷部３と上下方向に空間的に重複した状態で、印刷部３の前方下方に配置される。
【００３４】
さらに、本体部７１は、タグ支持部６の後板部６２の下面側、即ち、支持面６４の裏面側に近接させて配置されており、支持部材７２によって上下左右方向にスライド可能に支持されている。タグ支持部６の支持面６４に支持されるタグ１１の無線通信素子の位置に対応させて、本体部７１をスライドさせることにより、確実に本体部７１と無線通信素子との通信が可能となる。
【００３５】
本体部７１では、アンテナを介して読み書き制御部とタグ１１の無線通信素子とが通信されて、データ読み書き部７からタグ１１の無線通信素子にＩＤ情報等のデータが書き込まれる。
なお、データ読み書き部７によるタグ１１の無線通信素子への通信は、タグ１１が支持面６４で停止している状態で行うが、タグ１１がデータ読み書き装置５に向かって落下し始めてから行うようにしてもよい。
【００３６】
さらに、タグ支持部６の下方には、データ読み書き装置５によってデータが書き込まれたタグ１１を受け入れるストッカー９が設けられている。
ストッカー９は、複数のタグ１１が立てられた状態で重ねて受け止められる傾斜した受板９１と、受板９１の下端部が固定される支持台９２と、落下したタグ１１を受板９１に向けて押し込む押し部材９３と、受板９１に立て掛けられた複数のタグ１１が前方側に移動するのを阻止するストッパー９４と、タグ支持部６のタグ落下用通路６５の下方に配置されて落下するタグ１１を受板９１へと案内するガイド板９５とを備える。
【００３７】
受板９１は、上端部が後方に、下端部が前方に位置するように傾斜させて支持台９２に固定している。受板９１を傾斜させることにより、複数のタグ１１を重ねて立て掛けておくことができる。
【００３８】
また、押し部材９３は、図３の仮想線で示すように、モータにより支持台９２に対して前後方向に往復動作するように構成されており、制御部８によってタグ１１が落下するまでは前方に位置し、タグ１１が落下すると後方に移動してタグ１１を押し込むように駆動制御される。
【００３９】
また、ストッパー９４は、図３に示すように、支持台９２に対して上下動するように構成されており、押し部材９３が後方に移動する際に、押し部材９３の移動の妨げにならないように、下方に移動するように制御部８により制御される。
【００４０】
ガイド板９５は、不良のタグ１１を受け入れる不良品受部としても機能するように構成されている。ガイド板９５は、図４に示すように、下端部を中心として上端部が揺動するように構成されている。
ガイド板９５は、通常の状態では、図２及び図３に示すように、シャッター６６がタグ１１を落下させる状態のときの平面部とほぼ平行となるように配置させて、タグ落下用通路６５から落下するタグ１１が円滑に受板９１側に落ちるようにしている。
【００４１】
また、タグ支持部６に位置するタグ１１がデータ読み込み不良である場合には、図４に示すように、ガイド板９５の上端がタグ落下用通路６５よりも後方になるようにガイド板９５を後方に揺動させて、ガイド板９５の傾斜面で不良品を受け止める。
【００４２】
本印刷装置１は、図１に示すように、各機器を駆動制御する制御部８を備えている。制御部８により、ホッパー部２に設けたタグ取り出し装置２３の制御、印刷部３の制御、搬送装置４の制御、タグ支持部６のシャッター６６の制御、データ読み書き部７の制御、ストッカー９の押し部材９３、ストッパー９４及びガイド板９５の制御を行う。制御部８は、たとえば、マイクロコンピュータからなり、ＣＰＵおよびメモリを備えている。
【００４３】
次に、印刷装置１によるタグ１１への印刷部３による印刷と、データ読み書き装置５によるタグ１１へのデータ書き込みについて説明する。
まず、ホッパー部２に印刷前の多数のタグ１１を積層状態に重ねて収納しておく。タグ１１は、ホッパー部２のゲート板２２の上端部と、タグ取り出し装置２３のブロック体２３ａとにより支持される。
【００４４】
そして、印刷が開始されると、搬送装置４と印刷部３のプラテンローラー３２とが駆動され、収納されたタグ１１の後端部がタグ取り出し装置２３の取出し爪に引っ掛かり、ブロック体２３ａの搬送装置４側への移動によってタグ１１がホッパー部２から送り出される。なお、印刷部３の印刷ヘッド３１はプラテンローラー３２と接触しないように上方位置に待機され、巻取用リール３５の駆動軸３６も停止された状態になっている。
【００４５】
次に、ホッパー部２から搬送装置４に供給されたタグ１１は、タグ１１の先端部が搬送ベルト４１と押えローラ４４との間に挟みこまれて、搬送ベルト４１の駆動走行によって搬送ベルト４１と押えローラ４４とによって搬送される。
このとき、タグ１１は押えローラ４４によって搬送ベルト４１に常時押さえ付けられているので、タグ１１が搬送面上で滑って空送りになるようなことがない。
【００４６】
ホッパー部２から搬送装置４に供給されたタグ１１は、ホッパー部２の出口近くに設けた第１センサ８１によって、タグ１１がホッパー部２から排出されたことが検出される。
【００４７】
そして、第１センサ８１によるタグ１１の検出時から所定距離が搬送されてタグ１１が印刷部３の印刷ヘッド３１に対向する位置まで送られると、印刷ヘッド３１が降下して印刷が開始されると共に、巻取用リール３５の駆動軸３６も駆動回転する。巻取用リール３５の回転により、繰出用リール３４からインクリボンテープ３３が引き出されて、インクが印刷ヘッド３１によってタグ１１の表面に熱転写されて文字やバーコードなどの印刷が行われる。このとき、タグ１１は、プラテンローラー３２により搬送されながら、印刷ヘッド３１により印字が行われる。
【００４８】
本実施形態では、印刷動作を行わない場合には、インクリボンテープ３３の無駄な消費を無くすために、印刷ヘッド３１はタグ１１から離間するように上昇退避させ、巻取用リール３５の駆動軸３６は停止させてインクリボンテープ３３の走行を中断させるように制御される。
このように、印刷動作を行わない場合には、プラテンローラー３２は回転させたままにしていても、印刷ヘッド３１は上昇させているので、タグ１１の搬送は搬送装置４によってのみ行われてインクリボンテープ３３の走行には関わることがない。
【００４９】
本実施形態では、一定間隔置きに、タグ１１がホッパー部２から排出されて、印刷部３において文字などの可視情報がタグ１１に印刷されると、搬送装置４からタグ１１が排出される。
搬送装置４から排出されたタグ１１は、図２に示すように、タグ支持部６の後板部６２に向かって前端を下方へ向けて落下し、後板部６２の支持面６４でタグ１１が受け止められる。このとき、シャッター６６はタグ落下用通路６５を閉じた状態になっているので、タグ１１はストッカー９に落下しない。
【００５０】
後板部６２の支持面６４でタグ１１が支持されると、データ読み書き部７によりＩＤ情報等のデータがタグ１１の無線通信素子に書き込まれる。データの書き込みが終了すると、図３に示すように、シャッター６６が回転して、タグ落下用通路６５からタグ１１がストッカー９に落下する。
【００５１】
ストッカー９にタグ１１が落下すると、前方に待機させていた押し部材９３を図３の仮想線で示すように後方に移動させて落下してきたタグ１１を受板９１に向けて押し込む。押し部材９３によるタグ１１の押し込み動作により、ストッカー９の内部にストックされているタグ１１が、タグ支持部６から落下してくるタグ１１の邪魔にならないようにしている。このとき、ストッパー９４は、押し部材９３の動きの妨げとならない位置まで下方に下がる。
【００５２】
また、タグ支持部６に支持されているタグ１１が、データ読み書き部７によりデータの読み取りができなかった場合には不良品であると判断して制御部８による制御で、図４に示すようにガイド板９５を不良品の受け入れ側に動かして、ガイド板９５で不良のタグ１１を受け止める。
【００５３】
このように本実施形態の印刷装置１は、印刷部３とデータ読み書き装置５とが、例えるならば建物の１階と２階のような空間的に重複させる配置構造となっている。これにより、印刷後のタグ１１を搬送装置４の搬送路延長線上から下方へ退避した空間位置に配置させたタグ支持部６の支持面６４に支持させるので、支持面６４にタグ１１を支持させてデータの読み書きを行っている間に、後続のタグ１１に対して印刷部３によりタグ１１の表面への印刷が可能となる。
その結果、印刷処理作業とデータの読み書き処理作業とを互いに制約を受けることなく行えるので、タグ１１の製作時間が大幅に短くなり、生産効率を大幅に向上できる。
【００５４】
さらに、印刷部３からデータ読み書き装置５への受け渡しが落下方式となるので、複雑な受け渡し構造にすることなく、簡単に、かつ、短時間でタグ１１の受け渡しが可能となる。また、タグ１１を支持する支持面６４を斜めに傾斜させて自然落下による受け渡しを行っているので、タグ１１にストレスが掛かり難い。
さらに、データ読み書き装置５は、印刷部３の下方に配置することができるので、印刷装置１の配置スペースを小さくできる。
【００５５】
また、シャッター６６により、タグ支持部６の支持面６４にタグ１１を確実に支持させた状態でデータ読み書き部７よるデータの読み書きを行うことができ、データの読み書き完了後は、シャッター６６をストッカー９側に開放するように作動させて自然落下により簡単かつ短時間でストッカー９にタグ１１を収納できる。
さらに、ストッカー９も印刷部３の下方に配置されるので、印刷装置１の設置スペースを小さくできる。
【００５６】
なお、本考案は、上述の実施の形態のみに限定されず、本考案の範囲内で種々の変更を施すことが可能である。
例えば、本実施形態では、印刷後のタグ１１は、印刷部３の前方下方に設けるタグ支持部６にタグ１１の先端（前辺）が下方を向くように落下させたが、タグ１１の幅方向の一端側（右辺側又は左辺側）が下方を向くように落下させることもできる。
さらに、データ読み書き部７によるデータの書き込みが終了するまで、搬送装置４の排出部においてタグ１１を落下させずに待機させるようにしてもよい。
【符号の説明】
【００５７】
１  印刷装置
２  ホッパー部
３  印刷部
４  搬送装置
５  データ読み書き装置
６  タグ支持部
７  データ読み書き部
８  制御部
９  ストッカー
１１  タグ
３１  印刷ヘッド
３２  プラテンローラー
４１  搬送ベルト
４２  支持プーリー
４４  押えローラ
６４  支持面
６５  タグ落下用通路
６６  シャッター
【図１】
0003194544.tif 000003
【図２】
0003194544.tif 000004
【図３】
0003194544.tif 000005
【図４】
0003194544.tif 000006